(57)【特許請求の範囲】
【請求項１】
一方の端部に、上方へ傾斜する上傾斜面と、それに続く平坦面と、該平坦面の先端から下方へ傾斜する下傾斜面からなる第１の突出部が形成され、他方の端部に、少なくとも上傾斜面と平坦面からなる第２の突出部が形成された屋根材の上記第１の突出部を、それに隣接する屋根材の第２の突出部に上方から重ね合わせて固定する屋根取付け構造であって、
上記屋根材の第２の突出部が第１の突出部よりも小さく形成されていて、第１の突出部の下傾斜面の傾斜角度と第２の突出部の上傾斜面の傾斜角度が異なっており、屋根材同士を重ね合わせると、下側に位置する屋根材の第２の突出部の全体が上側に位置する屋根材の第１の突出部に覆われて、上側に位置する屋根材の第１の突出部の下傾斜面がその先端においてのみ、下側に位置する屋根材の第２の突出部の上傾斜面の下端に連なった平坦部に当接し、第１の突出部の下傾斜面と第２の突出部の上傾斜面との間に毛細管現象による雨水侵入防止用の空間が形成されており、上側に位置する屋根材の第１の突出部の内部空間で、屋根材が幅方向にスライド可能であることを特徴とする屋根取付け構造。
【請求項２】
上側に位置する屋根材の第１の突出部の平坦面裏側と、下側に位置する屋根材の第２の突出部の平坦面表側との間に止水手段を講じたことを特徴とする請求項１に記載の屋根取付け構造。
【請求項３】
請求項１又は請求項２に記載の屋根取付け構造に用いる屋根材であって、その両端部には、上方へ傾斜する上傾斜面と、それに続く平坦面と、該平坦面の先端から下方へ傾斜する下傾斜面からなる略台形状の第１の突出部及び第２の突出部がそれぞれ形成されており、
上記第２の突出部が上記第１の突出部よりも小さく形成されていて、第１の突出部の下傾斜面の傾斜角度と第２の突出部の上傾斜面の傾斜角度が異なっており、屋根材の第１の突出部をそれに隣接する屋根材の第２の突出部に上方から重ね合わせると、第１の突出部に第２の突出部の全体が覆われて、上側に位置する屋根材の第１の突出部の下傾斜面がその先端においてのみ、下側に位置する屋根材の第２の突出部の上傾斜面の下端に連なった平坦部に当接し、第１の突出部の下傾斜面と第２の突出部の上傾斜面との間に毛細管現象による雨水侵入防止用の空間が形成されるようになっており、屋根材が幅方向にスライドする内部空間が第１の突出部に形成されていることを特徴とする屋根材。
【発明の詳細な説明】
【技術分野】
【０００１】
本発明は、屋根材によって屋根の幅調整ができる屋根取付け構造とそれに用いる屋根材に関するものである。
【背景技術】
【０００２】
従来、複数の屋根パネルを左右に連結しながら屋根を構築する際に、屋根幅の調整を屋根パネル間で行うことができないものが多く、屋根パネルの切断加工等が必要となって、施工に手間と時間を要した。
【０００３】
このような事情から、図８に示すような、両側端の山部１０１，１０２の頂部を略平らとした屋根パネル１００であって、一方の側端の山部１０２を隣接する屋根パネル１００の側端の山部１０１の下に収納されるスライド部１０２とし、他方の側端の山部１０１を隣接する屋根パネル１００の側端の山部１０２を収納するスライド吸収部１０１とし、設定した範囲で屋根の横幅が調整できるようにした簡易構築物の屋根が提案された（特許文献１）。
【０００４】
この特許文献１の簡易構築物の屋根は、左側の屋根パネル１００のスライド部１０２に、右側の屋根パネル１００のスライド吸収部１０１を重ね合わせると、図８の（ａ）に示す状態、即ち、左側の屋根パネル１００のスライド部１０２の傾斜面が右側の屋根パネル１００のスライド吸収部１０１先端の折返し片に当接した状態から、図８の（ｂ）に示す状態、即ち、左側屋根パネル１００のスライド部１０２の先端が、右側屋根パネル１００のスライド吸収部１０１の傾斜面に当接した状態まで、屋根パネル１００を左右にスライドさせることが可能で、この範囲内で屋根幅の調整を可能としたものである。
【先行技術文献】
【特許文献】
【０００５】
【特許文献１】特開２０００−００８５２９号公報
【発明の概要】
【発明が解決しようとする課題】
【０００６】
しかしながら、上記特許文献１の屋根パネル１００は、屋根パネル１００，１００同士を重ね合わせた際、スライド部１０２の一部のみがスライド吸収部１０１によって覆われており、その他の部分は露出しているので、図８の（ｃ）に示すように、風雨によって雨水がスライド吸収部１０１とスライド部１０２の間に吹き込んでしまうと、漏水等の不具合が生じてしまう恐れがあった。また、スライド部１０２の全体が覆われていないので、屋根パネル１００をスライドさせる前とスライドさせた後では屋根の外観が変化し、特に図８の（ｂ）に示す状態、即ち、スライド部１０２の先端がスライド吸収部１０１の傾斜面に当接した状態では、スライド吸収部１０１の先端とスライド部１０２の傾斜面との間に大きな段差が生じて体裁が良くない、という問題もあった。
【０００７】
本発明は上記の問題に鑑みてなされたもので、その解決しようとする課題は、屋根材によって屋根幅の調整が可能で、漏水の恐れもなく、屋根材を左右にスライドさせても屋根全体の外観が殆ど変化しない体裁の良好な屋根取付け構造とそれに用いる屋根材を提供することにある。
【課題を解決するための手段】
【０００８】
上記目的を達成するため、本発明に係る屋根取付け構造は、一方の端部に、上方へ傾斜する上傾斜面と、それに続く平坦面と、該平坦面の先端から下方へ傾斜する下傾斜面からなる第１の突出部が形成され、他方の端部に、少なくとも上傾斜面と平坦面からなる第２の突出部が形成された屋根材の上記第１の突出部を、それに隣接する屋根材の第２の突出部に上方から重ね合わせて固定する屋根取付け構造であって、上記屋根材の第２の突出部が第１の突出部よりも小さく形成されていて、第１の突出部の下傾斜面の傾斜角度と第２の突出部の上傾斜面の傾斜角度が異なっており、屋根材同士を重ね合わせると、下側に位置する屋根材の第２の突出部の全体が上側に位置する屋根材の第１の突出部に覆われて、上側に位置する屋根材の第１の突出部の下傾斜面がその先端においてのみ、下側に位置する屋根材の第２の突出部の上傾斜面の下端に連なった平坦部に当接し、第１の突出部の下傾斜面と第２の突出部の上傾斜面との間に毛細管現象による雨水侵入防止用の空間が形成されており、上側に位置する屋根材の第１の突出部の内部空間で、屋根材が幅方向にスライド可能であることを特徴とするものである。
【０００９】
本発明の屋根取付け構造においては、上側に位置する屋根材の第１の突出部の平坦面裏側と、下側に位置する屋根材の第２の突出部の平坦面表側との間に止水手段を講じることがより好ましい。
【００１０】
次に、上記の屋根取付け構造に用いる本発明の屋根材は、その両端部には、上方へ傾斜する上傾斜面と、それに続く平坦面と、該平坦面の先端から下方へ傾斜する下傾斜面からなる略台形状の第１の突出部及び第２の突出部がそれぞれ形成されており、上記第２の突出部が上記第１の突出部よりも小さく形成されていて、第１の突出部の下傾斜面の傾斜角度と第２の突出部の上傾斜面の傾斜角度が異なっており、屋根材の第１の突出部をそれに隣接する屋根材の第２の突出部に上方から重ね合わせると、第１の突出部に第２の突出部の全体が覆われて、上側に位置する屋根材の第１の突出部の下傾斜面がその先端においてのみ、下側に位置する屋根材の第２の突出部の上傾斜面の下端に連なった平坦部に当接し、第１の突出部の下傾斜面と第２の突出部の上傾斜面との間に毛細管現象による雨水侵入防止用の空間が形成されるようになっており、屋根材が幅方向にスライドする内部空間が第１の突出部に形成されていることを特徴とするものである。
【発明の効果】
【００１２】
本発明の屋根取付け構造は、屋根材の一方の端部に形成された第１の突出部より、他方の端部に形成された第２の突出部のほうが小さく、第１の突出部の下傾斜面の傾斜角度と第２の突出部の上傾斜面の傾斜角度が異なっており、屋根材の第１の突出部を、それに隣接する屋根材の第２の突出部に上方から重ね合わせると、上側に位置する第１の突出部が下側に位置する第２の突出部の全体を覆い、上側に位置する屋根材の第１の突出部の下傾斜面がその先端においてのみ、下側に位置する屋根材の第２の突出部の上傾斜面の下端に連なった平坦部に当接し、第１の突出部の下傾斜面と第２の突出部の上傾斜面との間に毛細管現象による雨水侵入防止用の隙間が形成されるので、その第１の突出部と第２の突出部の重ね合わせ部から雨水等が侵入し、漏水してしまう心配はない。また、第１の突出部の内部空間で、屋根材をスライドさせると屋根幅の調整が可能となり、スライド調整のどの段階でも、第１の突出部の下傾斜面と第２の突出部の上傾斜面が面接触することなく隙間が確保されるので雨水の侵入を確実に防止でき、しかもその際、上記のように第２の突出部の全体が第１の突出部によって覆われているので、屋根材をスライドさせても外観上の変化は殆どなく、体裁が良い。
【００１３】
また、上側に位置する屋根材の第１の突出部の下傾斜面の先端が、下側に位置する屋根材の第２の突出部の下端に連なった平坦部に当接していると、雨水が一番最初に侵入してくる箇所を、上記の当接という簡易的な方法で、確実に止水することができ、屋根幅のスライド調整のどの段階でも当該箇所を止水することができる。しかも、第１の突出部の下傾斜面の先端のみが第２の突出部の下端に連なった平坦部に当接していると、屋根幅のスライド調整時のスライド抵抗が小さくなってスライドがスムーズに行えるようになり、かつ、接触面積が小さくて下傾斜面の先端が下側の屋根材の上記平坦部の不陸を拾い難くなるので、確実に止水することができる。
【００１４】
更に、上側に位置する屋根材の第１の突出部の平坦面裏側と、下側に位置する屋根材の第２の突出部の平坦面表側との間に止水手段を講じた屋根取付け構造は、万が一、第１の突出部と第２の突出部の間に雨水が侵入してきても、この第１の突出部の平坦面裏側と第２の突出部の平坦面表側との間に止水手段を講じることで、雨水がそれより先に侵入することがなくなって、漏水の心配はない。また、この箇所に止水手段を講じると、屋根材をスライドさせることによって上下の屋根材の位置関係が変化しても、確実に止水処理することができる。
【００１５】
次に、上記のような屋根取付け構造に用いる本発明の屋根材は、その両端部には、上方へ傾斜する上傾斜面と、それに続く平坦面と、該平坦面の先端から下方へ傾斜する下傾斜面からなる略台形状の第１の突出部及び第２の突出部がそれぞれ形成されており、上記第２の突出部が上記第１の突出部よりも小さく形成されていて、第１の突出部の下傾斜面の傾斜角度と第２の突出部の上傾斜面の傾斜角度が異なっており、屋根材の第１の突出部をそれに隣接する屋根材の第２の突出部に上方から重ね合わせると、第１の突出部に第２の突出部の全体が覆われて、上側に位置する屋根材の第１の突出部の下傾斜面がその先端においてのみ、下側に位置する屋根材の第２の突出部の上傾斜面の下端に連なった平坦部に当接し、第１の突出部の下傾斜面と第２の突出部の上傾斜面との間に毛細管現象による雨水侵入防止用の空間が形成されるようになっており、屋根材が幅方向にスライドする内部空間が第１の突出部に形成されていることを特徴とし、このような構成の屋根材を用いることで、前述したような顕著な効果を奏する屋根取付け構造を構築することができる。
【００１６】
特に、上記屋根材の第１の突出部をそれに隣接する屋根材の第２の突出部に上方から重ね合わせると、第１の突出部の下傾斜面の先端が、第２の突出部の上傾斜面の下端に連なった平坦部に当接するので、特別な防水対策を施さなくても、漏水の恐れがない屋根取付け構造を構築することができる。
【図面の簡単な説明】
【００１７】
【図１】本発明の一実施形態に係る屋根取付け構造を示す斜視図である。
【図２】同取付け構造の要部断面図であって、（ａ）は上側に位置する屋根材の下傾斜面に下側に位置する屋根材の上傾斜面が当接した状態を示し、（ｂ）は上側に位置する屋根材の上傾斜面に下側に位置する屋根材の下傾斜面が当接した状態を示す。
【図３】同取付け構造の要部断面図であって、（ａ）は図２の（ａ）に示す状態で屋根材同士を支持材に固定した状態を示し、（ｂ）は図２の（ｂ）に示す状態で屋根材同士を支持材に固定した状態を示す。
【図４】同取付け構造に用いる屋根材の横断面図である。
【図５】本発明の他の実施形態に係る屋根取付け構造を示す要部断面図である。
【図６】屋根材を取付ける際の問題点を説明する概略断面図である。
【図７】屋根材を取付ける際の問題点を説明する概略断面図である。
【図８】従来の屋根パネルの取付け構造を示す概略断面図であって、（ａ）はスライド吸収部の折返し片にスライド部の傾斜面が当接した状態を示し、（ｂ）はスライド吸収部の傾斜面にスライド部の先端が当接した状態を示し、（ｃ）は同取付け構造の問題点を示す。
【発明を実施するための最良の形態】
【００１８】
以下、図面を参照して本発明の具体的な実施形態を詳述する。
【００１９】
図１に示す本発明の屋根取付け構造は、一方の屋根材１の端部に形成された第２の突出部１ｂに、もう一方の屋根材１の端部に形成された第１の突出部１ａを上方から重ね合わせて、固定具２によって母屋材等の支持材３に固定したものである。
【００２０】
この屋根取付け構造に用いる屋根材１は、図４に示すように、一方の端部（本実施形態では右側端部）に、右上方へ傾斜する上傾斜面１０ａと、それに続く平坦面１１ａと、該平坦面１１ａの先端から右下方へ傾斜する下傾斜面１２ａからなる略台形状の第１の突出部１ａが形成され、他方の端部（本実施形態では左側端部）に、左上方へ傾斜する上傾斜面１０ｂと、それに続く平坦面１１ｂと、該平坦面１１ｂの先端から左下方へ傾斜する下傾斜面１２ｂからなる略台形状の第２の突出部１ｂが形成された折板屋根で、第１の突出部１ａと第２の突出部１ｂを繋ぐ平坦部１ｃには、台形状の山部１ｄが２つ形成されている。この屋根材１は、ポリカーボネート樹脂、アクリル樹脂、塩化ビニル樹脂、ポリエチレン樹脂、ポリプロピレン樹脂などの合成樹脂で成形されたもので、その長さは屋根の前後方向の長さに略等しく、その幅は屋根幅を複数に分割した幅寸法に略等しい長方形状に形成されている。
尚、本発明の屋根取付け構造は、後述するように、第２の突出部１ｂの全体が第１の突出部１ａに覆われるので、必ずしも第２の突出部１ｂに下傾斜面１２ｂが必要ではなく、少なくとも第２の突出部１ｂには、上方へ傾斜する上傾斜面１０ｂとそれに続く平坦面１１ｂが備わっていればよい。
【００２１】
上記屋根材１の第２の突出部１ｂは、図２等に示すように、第１の突出部１ａよりも小さく形成されていて、屋根材１とそれに隣接する屋根材１を重ね合わせると、下側に位置する屋根材１の第２の突出部１ｂの全体が、上側に位置する屋根材１の第１の突出部１ａに覆われるようになっている。具体的には、図４に示すように、第１の突出部１ａの平坦面１１ａの裏面側の幅Ｗ１が、第２の突出部１ｂの平坦面１１ｂの表面側の幅Ｗ２よりも広く形成されていると共に、第２の突出部１ｂの高さが、第１の突出部１ａの高さよりも屋根材１の厚みｔの分だけ低く形成されている。これによって、屋根材１とそれに隣接する屋根材１を重ね合わせた際に、下側に位置する屋根材１の第２の突出部１ｂの全体が、上側に位置する屋根材１の第１の突出部１ａに覆われると共に、上側に位置する屋根材１の第１の突出部１ａの内部空間で、図２の（ａ）に示す状態、即ち、第２の突出部１ｂの上傾斜面１０ｂの根元が第１の突出部１ａの下傾斜面１２ａの先端に当接した状態から、図２の（ｂ）に示す状態、即ち、第２の突出部１ｂの下傾斜面１２ｂの表面が第１の突出部１ａの上傾斜面１０ａの裏面に当接した状態まで、上側に位置する屋根材１又は／及び下側に位置する屋根材１が幅方向にスライドするようになっており、そのスライド幅ＳＬの範囲内で屋根材１をスライドさせることができる。
【００２２】
また、上記屋根材１は、図４に示すように、第１の突出部１ａの下傾斜面１２ａの傾斜角度θ１が、第２の突出部１ｂの上傾斜面１０ｂの傾斜角度θ２よりも大きくなるように形成されている。このように、第２の突出部１ｂの上傾斜面１０ｂの傾斜角度θ２より第１の突出部１ａの下傾斜面１２ａの傾斜角度θ１を大きく形成することで、屋根材１とそれに隣接する屋根材１を重ね合わせた際、図２に示すように、第１の突出部１ａの下傾斜面１２ａと第２の突出部１ｂの上傾斜面１０ｂとの間に空間Ｓが形成される。
【００２３】
上記の空間Ｓは、図２の（ａ）に示す第２の突出部１ｂの上傾斜面１０ｂが第１の突出部１ａの下傾斜面１２ａに当接した状態で、毛細管現象による雨水の侵入を防止するために形成されたものである。即ち、屋根材１とそれに隣接する屋根材１を重ね合わせた際、図２の（ｂ）に示す上側に位置する屋根材１の第１の突出部１ａの下傾斜面１２ａと、下側に位置する第２の突出部１ｂの上傾斜面１０ｂが完全に離れている状態、或いは、上側に位置する屋根材１の第１の突出部１ａの下傾斜面１２ａと、下側に位置する第２の突出部１ｂの上傾斜面１０ｂが、少しの隙間もなく完全に密着している状態であれば、上記毛細管現象の問題は生じないが、通常は、図６に示すように、製品の寸法精度などが要因で、上側に位置する山部１０３と下側に位置する山部１０４との間に、若干の隙間が生じてしまう。このように、上側の山部１０３と下側の山部１０４との間に中途半端な隙間が形成されると、毛細管現象により雨水が上側の山部１０３と下側の山部１０４の隙間を伝って上がっていき、屋根材の下面に水がまわって漏水する可能性が生じてしまう。そのため、本発明は、図２の（ａ）に示す第２の突出部１ｂの上傾斜面１０ｂが第１の突出部１ａの下傾斜面１２ａに当接した状態でも、毛細管現象が発生しない程度の空間Ｓを、第２の突出部１ｂの上傾斜面１０ｂの傾斜角度θ２より第１の突出部１ａの下傾斜面１２ａの傾斜角度θ１を大きく形成することで意図的に確保している。これによって第１の突出部１ａと第２の突出部１ｂの間に毛細管現象が発生するのが防止され、屋根材１，１の下面に水がまわって漏水する心配がなくなる。
尚、図示はしないが、第１の突出部１ａの下傾斜面１２ａの傾斜角度θ１より第２の突出部１ｂの上傾斜面１０ｂの傾斜角度θ２を大きく形成することでも空間Ｓを形成することができる。
また、第１の突出部１ａの下傾斜面１２ａの先端を第２の突出部１ｂ側に折り返したり、第１の突出部１ａの下傾斜面１２ａと第２の突出部１ｂの上傾斜面１０ｂの間にジャマ板やパッキン等を介在させることでも、上記の空間Ｓを形成することができる。
【００２４】
この屋根材１は、図２、図３に示すように、屋根材１，１同士を重ね合わせた際に、上側に位置する屋根材１の第１の突出部１ａの下傾斜面１２ａの先端が、下側に位置する屋根材１の第２の突出部１ｂの上傾斜面１０ｂの下端に連なった内側の平坦部１ｃに当接するようになっている。上記のように、本発明の屋根取付け構造は、図２の（ａ）に示す第２の突出部１ｂの上傾斜面１０ｂが第１の突出部１ａの下傾斜面１２ａに当接した状態でも、毛細管現象による雨水の侵入を防止するため、第１の突出部１ａと第２の突出部１ｂの傾斜角度θ１，θ２を異なるようにして空間Ｓを形成しているが、この空間Ｓを形成しても、図７に示すように、上側に位置する山部１０５の先端と、下側に位置する水平面１０６との間に完全な隙間が形成されてしまうと、毛細管現象による雨水の侵入を防止できたとしても、風雨によって雨水が上側の山部１０５と下側の山部１０７の間に吹き込んでしまい、漏水等の不具合が生じる恐れがある。このような不具合を防止するため、本発明の屋根取付け構造は、上側に位置する屋根材１の第１の突出部１ａの下傾斜面１２ａの先端が、下側に位置する屋根材１の第２の突出部１ｂの上傾斜面１０ｂの下端に連なる内側の平坦部１ｃに当接するようになっており、このような簡易的な方法によって、雨水が一番最初に侵入してくる箇所を、確実に止水処理している。更に、この箇所に止水処理を施すことで、スライド幅ＳＬの範囲内で上側に位置する屋根材１、或いは、下側に位置する屋根材１をスライドさせることによって、上下の屋根材１，１の位置関係が変化しても、上側に位置する屋根材１の第１の突出部１ａの下傾斜面１２ａの先端は、下側に位置する屋根材１の第２の突出部１ｂより内側の平坦部１ｃに常に当接しながらスライドするため、スライドによる幅調整のどの段階においても確実に雨水の侵入を防止できるようになり、第１の突出部１ａの下傾斜面１２ａの先端と第１の突出部１ｂの上傾斜面１０ｂの下端が当たるまで屋根材をスライドさせて幅を拡張できる。
【００２５】
また、より確実に雨水の侵入箇所を止水するため、図５に示すように、第１の突出部１ａの下傾斜面１２ａの先端を、平坦部１ｃに沿うよう外側に折返して折返し片１４ａを形成してもよい。この折返し片１４ａを形成することで、第１の突出部１ａの下傾斜面１２ａの先端（折返し片１４ａ）と第２の突出部１ｂ内側の平坦部１ｃとの接触面積が増大するので、更に雨水が侵入しにくくなる。
【００２６】
上記のように、本発明の屋根取付け構造は、第１の突出部１ａの下傾斜面１２ａと第２の突出部１ｂの上傾斜面１０ｂの間に空間Ｓを形成し、第１の突出部１ａの下傾斜面１２ａの先端を第２の突出部１ｂ内側の平坦部１ｃに当接させることで雨水の侵入を防止しているが、万が一、第１の突出部１ａと第２の突出部１ｂの間に雨水が侵入してくることを想定して、図２等に示すように、第１の突出部１ａの平坦面１１ａの裏側と、第２の突出部１ｂの平坦面１１ｂの表側をピッタリと密着させている。このように、第１の突出部１ａの平坦面１１ａ裏側と第２の突出部１ｂの平坦面１１ｂ表側との間に止水手段を講じることで、仮に、第１の突出部１ａと第２の突出部１ｂの間に雨水が侵入してきたとしても、雨水がそれより先に侵入することがなくなるので、漏水の心配はない。しかも、この第１の突出部１ａの平坦面１１ａ裏側と第２の突出部１ｂの平坦面１１ｂ表側は、上側に位置する屋根材１、或いは、下側に位置する屋根材１をスライドさせて上下の屋根材１，１の位置関係が変化しても常に当接している箇所なので、屋根材１をスライドさせることによって上下の屋根材１，１の位置関係が変化しても、確実に止水される。
【００２７】
また、より確実に漏水事故を防止するため、図示はしないが、第１の突出部１ａの平坦面１１ａ裏側と第２の突出部１ｂの平坦面１１ｂ表側との間にパッキン等を介在させてもよい。
【００２８】
上記構成の屋根材１は、施工現場の屋根の大きさによって様々な寸法のものが用いられるので特に限定されるものではないが、幅が５００〜１０００ｍｍ、長さが２５０〜３０００ｍｍ、厚みｔが１．５〜５ｍｍ、第１の突出部１ａの高さが１０〜３０ｍｍ、第２の突出部１ｂの高さが５〜２８．５ｍｍ、第１の突出部１ａの平坦面１１ａの裏面側の幅Ｗ１が１０〜６０ｍｍ、第２の突出部１ｂの平坦面１１ｂの表面側の幅Ｗ２が５〜５８．５ｍｍ程度の屋根材１が好適に用いられる。
【００２９】
上記寸法の屋根材１は、図２の（ａ）に示す第２の突出部１ｂの上傾斜面１０ｂの根元が第１の突出部１ａの下傾斜面１２ａの先端に当接した状態から、図２の（ｂ）に示す第２の突出部１ｂの下傾斜面１２ｂの表面が第１の突出部１ａの下傾斜面１０ａの裏面に当接する状態までのスライド幅ＳＬが１〜１０ｍｍ程度となり、その範囲内で屋根材１をスライドさせて屋根全体の幅調整を行うことができる。スライド幅ＳＬがたとえ１ｍｍ程度であっても、取付ける屋根材１が複数枚の場合は、屋根材１を重ね合わせる箇所の数だけスライドできる箇所も増えるので、屋根全体として十分な幅調整が可能となる。
【００３０】
以上のような構成の屋根材１を用いて本発明の屋根取付け構造を構築するには、図１に示すように、まず、屋根材１（右側）を支持材３の上に載置して、固定具２で支持材３に固定する。このとき用いられる固定具２は、図３に示すように、頭部が六角形のドリルねじ２ａと、上端にフランジが形成された筒状のスペーサー２ｃと、ドリルねじ２ａをねじ込む際に発生する応力がスペーサー２ｃのフランジへ均等に加わるようにドリルねじ２ａとスペーサー２ｃの間に介在される座金２ｂと、からなるもので、ドリルねじ２ａを締め込むと、その際に発生する応力が座金２ｂを介してスペーサー２ｃに伝って、屋根材１を上方から押し付けて強固に固定できるようになっている。この固定具２は、スペーサー２ｃを構成部材とすることで、屋根材１を固定する際に発生する応力をスペーサー２ｃが受けるので、ドリルねじ２ａの締め込み過ぎによる、屋根材１の変形を防止することもできる。
【００３１】
上記のように、右側の屋根材１を支持材２に固定すると、次に、左側の屋根材１の第１の突出部１ａを、右側の屋根材１の第２の突出部１ｂに上方から重ね合わせる。屋根の幅調整が必要となった場合は、このときに左側の屋根材１を幅方向にスライドさせることで調整すればよい。具体的には、屋根幅を広げたい場合、図２の（ａ）に示すように、第１の突出部１ａの下傾斜面１２ａが第２の突出部１ｂの上傾斜面１０ｂに当接するまで、上側に位置する屋根材１を左方向にスライドさせればよく、屋根幅を狭めたい場合は、図２の（ｂ）に示すように、第１の突出部１ａの上傾斜面１０ａが第２の突出部１ｂの下傾斜面１２ｂに当接するまで、上側に位置する屋根材１を右方向にスライドさせればよい。前述したように、第１の突出部１ａを第２の突出部１ｂに上方から重ね合わせると、第２の突出部１ｂの全体が第１の突出部１ａに覆われるので、たとえ屋根材１をスライドさせても外観上の変化は殆どなく、また、スライド前後において第１の突出部１ａの下傾斜面１２ａの先端が、第２の突出部１ｂより内側の平坦部１ｃに常に当接しているので、漏水の恐れもない。
【００３２】
上記のように、上側に位置する屋根材１をスライドさせることで屋根幅の調整が終わると、図１、図３に示すように、その位置で、上側に位置する屋根材１の第１の突出部１ａと下側に位置する屋根材１の第２の突出部１ｂに、挿通孔１３ａ，１３ｂをそれぞれ穿孔し、その挿通孔１３ａ，１３ｂに、上記固定具２のスペーサー２ｃを挿入し、そのスペーサー２ｃに、座金２ｂが差し込まれたドリルねじ２ａを挿入して、ドリルねじ２ａを工具でねじ込んでいくと、屋根材１，１が支持材３に強固に固定されて施工が完了する。
尚、取付ける屋根材１が上記のように２枚の場合は、一方の屋根材１（右側）を固定した状態で行うため、上側に位置する屋根材１（左側）のみをスライドさせて屋根の幅調整を行うが、取付ける屋根材１が複数枚の場合は、上側に位置する屋根材１だけでなく、下側に位置する屋根材１をスライドさせて屋根の幅調整を行う場合もある。
【００３３】
以上のような本発明の屋根取付け構造は、屋根材１の第１の突出部１ａを、それに隣接する屋根材１の第２の突出部１ｂに上方から重ね合わせると、上側に位置する第１の突出部１ａが下側に位置する第２の突出部１ｂの全体を覆うので、そこから雨水等が侵入し漏水してしまう心配はない。また、第１の突出部１ａを第２の突出部１ｂより大きく形成することで、屋根材１をスライドさせて屋根幅の調整が可能となり、屋根材１をスライドさせたとしても、第２の突出部１ｂは第１の突出部１ａによって全体を覆われているので、外観上の変化は殆どなく、美観を損なうことはない。
【符号の説明】
【００３４】
１    屋根材
１ａ  第１の突出部
１０ａ  上傾斜面
１１ａ  平坦面
１２ａ  下傾斜面
１３ａ  挿通孔
１４ａ  折返し片
１ｂ  第２の突出部
１０ｂ  上傾斜面
１１ｂ  平坦面
１２ｂ  下傾斜面
１３ｂ  挿通孔
１ｃ  平坦部
１ｄ  山部
Ｗ１  第１の突出部の平坦面の裏面側の幅
Ｗ２  第２の突出部の平坦面の表面側の幅
ｔ  屋根材の厚み
θ１  第１の突出部の下傾斜面の傾斜角度
θ２  第２の突出部の上傾斜面の傾斜角度
ＳＬ  スライド幅
２    固定具
２ａ  ドリルねじ
２ｂ  座金
２ｃ  スペーサー
３    支持材
【図１】
0005709249.tif 000002
【図２】
0005709249.tif 000003
【図３】
0005709249.tif 000004
【図４】
0005709249.tif 000005
【図５】
0005709249.tif 000006
【図６】
0005709249.tif 000007
【図７】
0005709249.tif 000008
【図８】
0005709249.tif 000009